(57)【特許請求の範囲】
【請求項１】
真空バルブ（１０）と、駆動装置（６）と、前記真空バルブ（１０）に付設されて前記駆動装置（６）を前記真空バルブ（１０）に結合するためのレバー装置と、接触力ばね（４３）と、電流ループ装置とを備え、
前記真空バルブ（１０）が２つの接触子とこの２つの接触子の一方に接続された移動可能な接続ボルト（１５）とを有し、
前記レバー装置が駆動レバー（５１）を有し、この駆動レバー（５１）が、第１のレバーアームおよび第２のレバーアームを形成するように軸受ピン（５４）によって前記移動可能な接続ボルト（１５）にリンク結合され、前記第１のレバーアームが前記駆動装置（６）に結合され、前記第２のレバーアームが固定支承部と協働し、
前記電流ループ装置が、２つの脚部（１６，１８）を有するフレキシブルな条導体（１７）から形成され、前記真空バルブ（１０）の２つの接触子間の接触力を電流に応じて高める力を得るために使われ、
前記フレキシブルな条導体（１７）を収容する絶縁装置（２３）が設けられ、前記フレキシブルな条導体（１７）の一方の脚部（１６）が、前記移動可能な接続ボルト（１５）に結合されかつ前記駆動レバー（５１）へ力伝達を行うように当接して配置され、前記フレキシブルな条導体（１７）の他方の脚部（１８）が、前記絶縁装置（２３）に形成された壁セクション（３０）により支持されている真空開閉器において、
前記固定支承部が前記絶縁装置（２３）によって形成されたストッパ面（５７）として構成され、このストッパ面（５７）に前記駆動レバー（５１）が前記接触力ばね（４３）によって当接させられ、
前記接触力ばね（４３）が引張ばねとして形成されかつ前記駆動レバー（５１）の前記ストッパ面（５７）を越えて突出している端部部分（５８）と前記絶縁装置（２３）に支えられた別の固定支承部（４４）との間に配置され、
前記フレキシブルな条導体（１７）の一方の脚部（１６）が前記駆動レバー（５１）の前記端部部分（５８）へ力伝達を行うように当接して配置されていることを特徴とする真空開閉器。
【請求項２】
駆動レバー（５１）はフレキシブルな条導体（１７）を間に収容する２つの脚部（５２）とこの両脚部（５２）を結合する１つの中央部（５３）とを有し、前記中央部（５３）は移動可能な接続ボルト（１５）に結合された前記フレキシブルな条導体（１７）の脚部（１６）を支持するための支持面として使われることを特徴とする請求項１記載の真空開閉器。
【発明の詳細な説明】
【技術分野】
【０００１】
本発明は、真空バルブと、駆動装置と、真空バルブに付設されて駆動装置を真空バルブに結合するためのレバー装置と、接触力ばねと、電流ループ装置とを備え、真空バルブが２つの接触子とこの２つの接触子の一方に接続された移動可能な接続ボルトとを有し、レバー装置が駆動レバーを有し、この駆動レバーが、第１のレバーアームおよび第２のレバーアームを形成するように軸受ピンによって移動可能な接続ボルトにリンク結合され、第１のレバーアームが駆動装置に結合され第２のレバーアームが固定支承部と協働し、電流ループ装置が、２つの脚部を有するフレキシブルな条導体から形成され、真空バルブの２つの接触子間の接触力を電流に応じて高める力を得るために使われ、フレキシブルな条導体を収容する絶縁装置が設けられ、フレキシブルな条導体の一方の脚部が、移動可能な接続ボルトに結合されかつ駆動レバーへ力伝達を行うように当接して配置され、フレキシブルな条導体の他方の脚部が、絶縁装置に形成された壁セクションにより支持されている真空開閉器に関する。
【背景技術】
【０００２】
このような真空開閉器は西独特許出願公告第２４５０４２４号明細書（＝対応特許；特公昭５７−５４８８４号公報）によって知られている。この公知の西独特許明細書において述べられている真空開閉器は、手順通りに閉成された状態では接触力を電流に応じて増強させそして開成する際には場合によっては開閉部材の溶接部を壊すために開放力を増大させるために電流ループ装置が使われる３極接触器である。電流ループ装置は所要スペースが２腕形駆動レバーの所要スペースとほぼ同じ大きさである独立したアセンブリを形成する。
【発明の開示】
【発明が解決しようとする課題】
【０００３】
そこで本発明の課題は、コンパクトな開閉機器の構成を容易にするために、レバー装置及び電流ループ装置の所要スペースを著しく減少させることにある。
【課題を解決するための手段】
【０００４】
この課題は本発明によれば、冒頭で述べた真空開閉器において、固定支承部が絶縁装置によって形成されたストッパ面として構成され、このストッパ面に駆動レバーが接触力ばねによって当接させられ、接触力ばねが引張ばねとして形成されかつ駆動レバーのストッパ面を越えて突出している端部部分と絶縁装置に支えられた別の固定支承部との間に配置され、フレキシブルな条導体の一方の脚部が駆動レバーの端部部分へ力伝達を行うように当接して配置されていることによって解決される。
【０００５】
このようにして、駆動レバー及びフレキシブルな条導体は所要スペースが適当に減少した１つのアセンブリを形成する。接触力ばねは駆動装置に結合された端部を解放すると同時に開成ばねとして作用する。接触力ばねとしてかつ開成ばねとして１つのばねを共通に使用することは真空開閉器においては西独特許出願公開第３４１４０１６号明細書によって知られている。
【０００６】
本発明の実施態様によれば、駆動レバーがフレキシブルな条導体を間に収容する２つの脚部とこの両脚部を結合する１つの中央部とを有することができ、その中央部が接続ボルトに結合された条導体の脚部を支持するための支持面として使われる。このような構成によれば、高い強度を有する駆動レバーは側部からの変形に対して条導体を守る良好な保護装置を形成する。
【発明を実施するための最良の形態】
【０００７】
次に本発明を図面に示された実施例に基づいて詳細に説明する。
図１は多極形真空開閉器の平面図である。
図２は閉成状態の図１に示された多極形真空開閉器の極ユニットを示す図である。
図３は一方の狭幅面側から見た閉成状態の図２に示された極ユニットを示す図である。
図４は図２及び図３に示された極ユニットの絶縁装置を構成する殻状絶縁部材を示す図である。
図５は図４に示された絶縁部材の平面図である。
【０００８】
図１に示された真空開閉器１は３極に形成され、間隔なく並置された３つの極ユニット２を有している。このようにして形成された極ブロック３は極ユニット２及び側壁５を貫通する締付けボルト４によって結合されている。側壁５は極ブロック３の側方閉鎖体を形成し、極ブロック３を越えて突出するように形成されている。両側壁５の突出部間には、極ユニット２内に含まれている真空バルブを閉成及び開成するのに公知の方法で使われる駆動装置６が設けられている。
【０００９】
次に１つの極ユニット２の詳細を図２乃至図５に基づいて詳細に説明する。最初に図２及び図３に基づいて基本構成を説明する。
【００１０】
極ユニット２は上側端部フランジ１２と下側端部フランジ１３とを備え２つの接触子を含んでいるケース１１を持つ真空バルブ１０を有している。端部フランジ１３は同時に真空バルブ１０の一方の接続点を形成している。接続装置として直角に曲げられた接続レール１４が設けられている。上側端部フランジ１２を貫通して移動可能に支持された接続ボルト１５が延びており、この接続ボルト１５にはフレキシブルな条導体１７の一方の脚部１６が固定されている。条導体１７はほぼループ状に形成され、そして脚部１６にほぼ平行に向かい合う短い脚部１８を有している。この脚部１８には直線状接続レール２０が結合されている。この接続レール２０は真空バルブ１０の長手軸線の延長線に対して平行に上方へ向けて延び、一方条導体１７の脚部はその長手軸線に交差するように配置されている。
【００１１】
上述した部品すなわち接続レール２０、条導体１７および接続ボルト１５は極ユニット２の電流路を形成する。この電流路はほぼ殻状に成形された２つの絶縁部材２１、２２から形成された絶縁装置２３内に収納されている。最初に絶縁部材２２の形状を図４及び図５に基づいて詳細に説明する。
【００１２】
図４及び図５に示されているように、絶縁部材２２はほぼ平坦状の壁部品２４から突出して多数の空間又は室を形成する壁セクションを有している。２つの壁セクション２５、２６には真空バルブ１０の端部フランジ１２、１３の形状に整合するほぼ半円形状の切欠２７、２８が設けられている。壁セクション２５、２６と付属の鏡面対称の絶縁部材２１の対応する壁セクションとによって真空バルブ１０を収容するための空間が形成される。両半円形状切欠を端部フランジ１２、１３に整合するように設計すると、真空バルブ１０は両端部が強固に固定される。それに対して、真空バルブ１０の一端部だけを、例えば端部フランジ１２だけを固定することが所望される場合、切欠２８は図４に破線で示されているように拡大して形成される。
【００１３】
壁セクション２５に対してほぼ平行に配置されている別の壁セクション３０は図２に示されているフレキシブルな条導体１７を収容するために設けられた接続室３１を画成する。下側へ向けて、接続室３１は真空バルブ１０の側方に置かれた駆動室２９に連通している。上側壁部品３２、３３は真空バルブ１０（図２参照）の長手軸線に対してほぼ平行に延び、そしてナットを入れるためにそれぞれ１つの切欠３４を含んでいる。図２及び図３から分かるように、絶縁装置２３の全幅に亘って延びそして全部で４個の固定ねじ３６によって絶縁部材２１、２２に結合されている閉鎖部材３５を取付けることによって、輪郭を破線で示されている変流器を収納することのできる測定室３７が形成される。壁セクション３０及び閉鎖部材３５は上述した上側接続レール２０を貫通させるための一直線の孔を有している。
【００１４】
さらに図４に示されているように、真空バルブを収容するために設けられた空間の右側には、下側にアンダーカット部４１が存在する角状壁セクション４０が設けられている。これによって、図２及び図３に示されているように２つの接触力ばね４３を収容するために使われるばね室４２が形成される。接触力ばね４３は、電流路を組込みそして可動の接続ボルト１５を後述する部品に結合した後に生ずる如く、張られていない状態で示されている。駆動のために必要である接触力ばね４３の予張力は、破線で示されているピン４４を両接触力ばね４３の下側環４５内に嵌込みそしてこのピンを両絶縁部材２１、２２のアンダーカット部４１内へ掛止することによって、生ぜしめられる。さらに図２及び図３に示されているように、駆動部品は力作用がなく、従って真空バルブ１０は周囲の空気圧の影響を受けて閉成状態にある。
【００１５】
図１に概略的に示された駆動装置６は図２に示されているように各極ユニット２のそれぞれ１つの連結レバー４６と協働する。連結レバー４６はピン４７（図２参照）に揺動可能に支持されており、このピン４７は両端部が絶縁部材２１、２２の軸受目４８内に食い込んでいる。軸受目４８の１つが図４に示されている。真空バルブ１０の長手軸線に対してほぼ平行に延びる調整可能な連結桿５０は駆動室２９内に存在して、連結レバー４６を接続室３１内に存在する駆動レバー５１に結合する。この駆動レバー５１はほぼＵ字状の薄板から形成され、脚部５２とこの脚部５２の全長に亘って存在する必要のない中央部５３とを有している。駆動レバー５１は軸受ピン５４によって移動可能な接続ボルト１５に軸支されている。リンクピン５５は脚部５２を貫通して延び、そして破線で示されている窓状切欠５６内に食い込んでおり、その切欠５６の下側稜線はリンクピン５５のためのストッパ面５７を形成している。駆動レバー５１のリンクピン５５を越えて突出する端部部分５８は、直接に又はピン６０に結合された垂れ５９を介して、上述した接触力ばね４３用の支承部として使われる。
【００１６】
フレキシブルな条導体１７は駆動レバー５１の脚部５２間にほぼ完全に位置し、このようにして非常に省スペースに収納される。所望の機能は、条導体１７の下側脚部１６が中央部５３に支えられ、一方上側脚部１８が壁セクション３０に当接することによって得られる。従って、条導体１７の脚部１６、１８を広げその都度流れる電流に依存する力は、真空バルブ１０の２つの接触子間の接触力が増大するように、駆動レバー５１を下方へ向けて押圧する。
【００１７】
閉成状態ではリンクピン５５はストッパ面５７から所定の間隔にあり、それゆえ軸受ピン５４は駆動レバー５１の揺動軸受を形成する。開成のために駆動装置６（図１参照）を下へ押すと（これは連結レバー４６の解放に相当する）、駆動レバー５１の連結桿５０に結合された右側端部がその支えを失う。駆動レバー５１はその後その軸受ピン５４を中心にして時計方向へ揺動し、それによりリンクピン５５がストッパ面５７に達し、そして今後はストッパ面５７が駆動レバー５１の揺動軸受を形成する。接触力ばね４３は今や駆動レバー５１の端部部分５８のレバーアームと共に開くように作用する。接触力ばね及び開成ばねの機能を果たすようなばねの利用法は西独特許出願公開第３４１４０１６号明細書に記載されているように真空開閉器においては知られている。
【００１８】
図１に示された締付けボルト４を受入れるために、絶縁部材２１、２２には一直線上に位置する貫通孔６１が設けられている。絶縁部材２１、２２は、締付けボルト４による最終的な結合を行う前に、絶縁部材２１、２２の壁セクションを貫通して接続レール１４、２０内へ食い込む結合ねじ６２によって一緒に結合される。
【００１９】
上述した説明から分かるように、付属のアセンブリを含めた真空バルブの非常に省スペースな配置を達成するために、絶縁部材を使用することができる。ループ状条導体は実際上付加的な所要スペースを必要とすることなく駆動部内に集成される。従って、本発明はコンパクトな開閉機器、特に３極又は４極形で例えば１０００Ｖまでの電圧範囲の電力開閉器を構成するのに特に適する。
【図面の簡単な説明】
【００２０】
【図１】多極形真空開閉器の平面図
【図２】閉成状態の図１に示された多極形真空開閉器の極ユニットを示す図
【図３】一方の狭幅面側から見た閉成状態の図２に示された極ユニットを示す図
【図４】極ユニットの絶縁装置を構成する殻状絶縁部材を示す図
【図５】図４に示された絶縁部材の平面図
【符号の説明】
【００２１】
１      真空開閉器
２      極ユニット
３      極ブロック
４      締付けボルト
５      側壁
６      駆動装置
１０    真空バルブ
１１    ケース
１２    上側端部フランジ
１３    下側端部フランジ
１４    接続レール
１５    接続ボルト
１６    脚部
１７    フレキシブルな条導体
１８    脚部
２０    接続レール
２１、２２    絶縁部材
２３    絶縁装置
２４    壁部品
２５、２６    壁セクション
２７，２８    切欠
２９    駆動室
３０    壁セクション
【図１】
0003983797.tif 000002
【図５】
0003983797.tif 000003
【図２】
0003983797.tif 000004
【図３】
0003983797.tif 000005
【図４】
0003983797.tif 000006